(57)【要約】【課題】きめの細かい泡を、手を汚さずに簡便に生じさせることができる起泡具を提供すること。【解決手段】本発明の起泡具１は、泡の吐出部及び非通液性の材料からなる押圧変形部２２を備えた容器２の内部に、軟質多孔性材料からなる起泡部材３及び起泡性を有する液体（図示せず）を収容している。起泡部材３は、容器２の内部に複数個収容されており、該容器は、泡の吐出部２１に起泡部材３が移動するのを阻止する手段７０を備えている。気泡部材３は、多孔質部分に加えて、貫通孔又は一端のみが開口した穴からなる空洞部を有することが好ましい。起泡性を有する液体は、例えば、洗顔料、ハンドソープ、食器用洗剤、シャンプー、眼鏡拭き剤等であり、起泡部材３に含浸されている。【選択図】図６
2015008887.tif 000002
【特許請求の範囲】
【請求項１】
泡の吐出部及び非通液性の材料からなる押圧変形部を備えた容器の内部に、軟質多孔性材料からなり、起泡性を有する液体を含有した起泡部材を収容してなる起泡具であって、
前記気泡部材は、多孔質部分に加えて、貫通孔又は一端のみが開口した穴からなる空洞部を有する、起泡具。
【請求項２】
前記起泡部材が前記容器の内部に複数個収容されている、請求項１に記載の起泡具。
【請求項３】
泡の吐出部及び非通液性の材料からなる押圧変形部を備えた容器の内部に、軟質多孔性材料からなり、起泡性を有する液体を含有した起泡部材を収容してなる起泡具であって、
前記起泡部材が前記容器の内部に複数個収容されており、
前記容器は、前記泡の吐出部に前記起泡部材が移動するのを阻止する手段を備えている、起泡具。
【請求項４】
前記容器は、前記泡の吐出部と該泡の吐出部から離間した底部との間に、幅又は断面積が減少した括れ部を有する請求項１〜３の何れか１項に記載の起泡具。
【請求項５】
前記泡の吐出部に、泡の目を細かくする泡調整部材が設けられている、請求項１〜４の何れか１項に記載の起泡具。
【請求項６】
前記泡調整部材は、メッシュ、スポンジ、多孔セラミックス又は焼結ＰＥからなる、請求項５に記載の起泡具。
【請求項７】
前記容器は、前記液体に完全には浸漬しない起泡部材が存在する請求項１〜６の何れか１項に記載の起泡具。
【請求項８】
前記容器には、開封後に使いきる量の前記液体が収容されている請求項１〜７の何れか１項に記載の起泡具。
【請求項９】
泡の吐出部及び非通液性の材料からなる押圧変形部を備えた容器の内部に、軟質多孔性材料からなり、起泡性を有する液体を含有した起泡部材を収容してなる起泡具であって、
前記容器の内部に、軟質多孔性材料の目の細かさが異なる複数種類の起泡部材が収容されている、起泡具。
【請求項１０】
前記泡の吐出口から遠い側に目の細かい起泡部材が配され、前記泡の吐出口に近い側に目の粗い起泡部材が配されている、請求項９に記載の起泡具。
【発明の詳細な説明】
【技術分野】
【０００１】
本発明は、起泡具に関する。
【背景技術】
【０００２】
従来、洗顔料や石鹸等を泡立てる起泡具として、通水性を有する袋に多孔性部材を収容したもの等が知られている。
例えば、特許文献１には、通水シートからなる収容袋に複数の発泡ブロックを収容した泡立て具が記載され、特許文献２には、多数の細孔を有する収容網体に海綿状物を収容した洗浄具が記載されている。
また、特許文献３には、多孔質軟質シートからなる袋体に合成樹脂製のネット材を丸めて収容した洗浄用泡立て具が記載され、特許文献４には、目の細かさが異なる２種類の軟質多孔体を布地体で包み込んだ洗浄用具が記載されている。
【０００３】
また、本出願人は、濡らしたネットに洗顔料を塗布した後、該ネットを手で擦り合わせることによって、きめの細かい泡を生じさせ、その泡を用いて洗顔する技術を提案している（特許文献５，６参照）。
また、別のタイプの起泡具として、特許文献７には、上方が解放された容器の内壁面に泡立て用のブラシを設け、この容器内に洗浄剤や水等を入れて泡立てるようにした洗浄剤の泡立て器が開示されている。
【先行技術文献】
【特許文献】
【０００４】
【特許文献１】特開２００６−１０２２３６号公報
【特許文献２】特開２０００−１７０９５号公報
【特許文献３】特開２００３−６１８５５号公報
【特許文献４】特開２００２−２５３４４２号公報
【特許文献５】特開２０００−３１６７４４号公報
【特許文献６】特開平１０−２７６９２８号公報
【特許文献７】特開２００２−２７７３５３号公報
【発明の概要】
【発明が解決しようとする課題】
【０００５】
しかし、特許文献１〜４の起泡具は、洗顔料や石鹸が付着した道具を直接手に持って泡立てを行うものであるため、洗顔料や石鹸が、両手の広い範囲に付着する。両手に付着した洗顔料等は、泡立てや洗顔後に、水やお湯で洗い流すことになるが、朝などに浴室に入らずに洗顔のみを行いたい場合、両手の広い範囲を洗い流す必要があることは、時間が掛かり負担となる。また、起泡具についても使用後に付着した洗顔料等を洗い流す必要があり、その作業にも手間が掛かる。
【０００６】
特許文献５〜６の技術によれば、きめの細かい泡を生じさせることができるが、洗顔料が付いたネットを直接手に持って泡立て作業を行うものであるため、特許文献１〜４の技術と同様の問題がある。
他方、特許文献７の起泡具は、きめの細かい泡を発生させることが困難である。
【０００７】
従って、本発明の課題は、従来技術が有する上述した解決課題を解決し得る起泡具に関する。
【課題を解決するための手段】
【０００８】
本発明は、泡の吐出部及び非通液性の材料からなる押圧変形部を備えた容器の内部に、軟質多孔性材料からなり、起泡性を有する液体を含有した起泡部材を収容してなる起泡具であって、前記気泡部材は、多孔質部分に加えて、貫通孔又は一端のみが開口した穴からなる空洞部を有する、起泡具を提供するものである（以下、第１発明というときは、この発明をいう）。
【０００９】
また、本発明は、泡の吐出部及び非通液性の材料からなる押圧変形部を備えた容器の内部に、軟質多孔性材料からなり、起泡性を有する液体を含有した起泡部材を収容してなる起泡具であって、前記起泡部材が前記容器の内部に複数個収容されており、前記容器は、前記泡の吐出部に前記起泡部材が移動するのを阻止する手段を備えている、起泡具を提供するものである（以下、第２発明というときは、この発明をいう）。
【００１０】
また、本発明は、泡の吐出部及び非通液性の材料からなる押圧変形部を備えた容器の内部に、軟質多孔性材料からなり、起泡性を有する液体を含有した起泡部材を収容してなる起泡具であって、前記起泡部材が前記容器の内部に複数個収容されており、前記容器は、前記泡の吐出部に前記起泡部材が移動するのを阻止する手段を備えている、起泡具を提供するものである（以下、第３発明というときは、この発明をいう）。
【発明の効果】
【００１１】
本発明（第１〜第３発明）の起泡具によれば、手を汚さずに簡便に泡を生じさせることができる。さらに泡質がきめの細かい泡を生じることが可能である。また、目的に応じた適切な起泡を、場所を選ばず得ることができる。
第１発明によれば、きめの細かい泡を一層確実に生じさせることができる。
第２発明によれば、起泡部材が吐出部を通って漏れ出すことを効果的に防止でき、例えば、泡の吐出部を下方に向けて泡を吐出させることも容易となる。
第３発明によれば、目の細かい起泡部材により濃密な泡を発生させることができる一方、目が相対的に粗い起泡部材により容器を押圧して圧縮させたときの復元性等を向上させることができる。
【図面の簡単な説明】
【００１２】
【図１】図１は、本発明の第１実施形態（第１発明の一実施形態）の起泡具を示す一部破断正面図である。
【図２】図２は、図１の起泡具の吐出口近傍の断面図である。
【図３】図３（ａ）及び図３（ｂ）は、起泡部材の形状の具体例を示す斜視図である。
【図４】図４は、内部に発生させた泡を吐出口から吐出させる様子を示す模式図である。
【図５】図５は、本発明の第２実施形態（第２発明の一実施形態）の起泡具を模式的に示す斜視図である。
【図６】図６は、本発明の第３実施形態（第２及び第３発明の一実施形態）の起泡具を模式的に示す斜視図である。
【図７】図７は、本発明の更に他の実施形態の起泡具を示す模式図である。
【図８】図８は、本発明の更に他の実施形態の起泡具を示す模式図である。
【図９】図９（ａ）〜図９（ｃ）は、本発明の更に他の実施形態の起泡具を示す模式図である。
【発明を実施するための形態】
【００１３】
以下、本発明をその好ましい実施形態に基づき図面を参照しながら説明する。
図１は、本発明（第１発明）の起泡具の一実施形態を示す図である。図１及び図３に示すように、第１実施形態の起泡具１Ａは、泡の吐出部２１及び非通液性の材料からなる押圧変形部２２を備えた容器２内に、軟質多孔性材料からなる起泡部材３を収容してなる。起泡部材３は、起泡性を有する液体（図示せず）を含有している。
【００１４】
本実施形態の起泡具１Ａにおける容器２は、図１及び図２に示すように、チューブ容器２Ａである。チューブ容器２Ａは、合成樹脂製の筒状のチューブ体からなる胴部２３と、該チューブ体の長手方向の一端における内面間を熱融着させて形成したエンドシール部２４と、該チューブ体の長手方向の他端に口首部形成部材２５ａを固定して形成した口首部２５とを備えた容器本体２０を備えている。口首部形成部材２５ａは、胴部２３に接続された一端と口首部２５に接続された他端と、前記一端と前記他端との間を繋ぐ円錐台状の肩部２５ｂとを有している。
また、チューブ容器２Ａは、容器本体２０に固定されたキャップ部材２６を備えている。キャップ部材２６は、容器本体２０の口首部２５と螺合する内筒２７ａ、内筒２７ａとの間に間隔を有する外筒２７ｂ、及び中央部に泡の吐出部２１を有する天面部２７ｃを備えたキャップ基部２７と、ヒンジ部２８を介して、キャップ基部２７に対して回動可能に結合した開閉キャップ２９とを備えている。開閉キャップ２９は、泡の吐出部２１の内面に密着して該吐出部２１を液密に閉鎖可能な突起２９ａを備えている。チューブ容器２は、開閉キャップ２９により、吐出部２１を開閉自在である。なお、図２においては、チューブ容器２Ａ内に収容された起泡部材３及び液体の図示を省略してある。
【００１５】
本実施形態におけるチューブ容器２Ａは、チューブ体からなる胴部２３が、非通液性の材料からなる押圧変形部２２となっている。押圧変形部２２は、手で押圧することにより変形して、容器の内部に収容された起泡部材３を圧縮変形させ得る。また、押圧変形部２２は、非通液性の材料である合成樹脂の筒状成形体からなるため、押圧変形部２２を押圧させる際に、内部に収容した液体が手に付着することもない。
押圧変形部２２を構成する胴部２３は、変形性の向上の点から、ポリエチレン（ＰＥ）、ポリプロピレン（ＰＰ）等のポリオレフィン等の柔軟な樹脂からなることが好ましい。胴部２３等を構成するチューブ体は、合成樹脂の押出成形により製造されたものが好ましいが、シート状の成形体を円筒状に丸めて重ねた側縁同士を融着させて製造したものであっても良い。
また、胴部２３（押圧変形部２）の外壁の肉厚は、手で押圧することによる容易に変形可能とする観点等から、好ましくは１．０ｍｍ以下、より好ましくは０．５ｍｍ以下である。下限は、好ましくは０．１ｍｍ以上である。
【００１６】
本実施形態の起泡具１Ａにおいては、前述したチューブ容器２Ａ内に、軟質多孔性材料からなる起泡部材３及び起泡性を有する液体６が収容されている。
軟質多孔性材料としては、発泡ポリウレタンや、架橋型や無架橋型ポリエチレン等の軟質樹脂の発泡体、海綿動物から得られた多孔体（骨格）、合成樹脂等からなる網を積層、巻回等により立体形状としたもの等が挙げられるが、きめの細かい泡を効率よく発生させる観点の観点から、軟質樹脂の発泡体又は海綿動物の骨格からなるスポンジを用いることが好ましい。
また、軟質樹脂の発泡体（軟質多孔性材料）の目の細かさは、２５ｍｍ中の孔の数である、セル数で表すことができる。ある程度細かい目の方が、もっちりした泡を立てられるが、細かすぎると、空気を取り込みにくく発泡し難いため、セル数は、２０〜７０個／２５ｍｍが好ましく、より好ましくは３０〜７０個／２５ｍｍ、更に好ましくは３０〜３５個／２５ｍｍである。
セル数は、ＪＩＳ  Ｋ６４００−１：２００４に記載の方法で求める。
【００１７】
また、起泡部材３は、図３（ａ）に示すように、全体が均質な軟質多孔性材料からなるものであっても良いが、本実施形態における起泡部材３は、図３（ｂ）に示すように、均質な多孔質部分３１に加えて、貫通孔又は一端のみが開口した穴からなる空洞部３２を有する。均質な多孔質部分３１と空洞部３２とを有すると、空洞部３２内に入り込んだ気体と多孔質部分３１に含浸した液体とが混ざり合いやすくなって、きめの細かい泡を一層確実に生じさせることができる。
一端のみが開口した穴は、貫通することなく途中で止まっている穴である。
貫通孔又は一端のみが開口した穴からなる空洞部３２は、一つの起泡部材３当たり複数個形成されていることが好ましく、総ての起泡部材３に複数個の空洞部３２が形成されていることがより好ましい。
貫通孔又は一端のみが開口した穴は、その深さ方向（軸方向）に直交する断面の面積が、好ましくは０．７８ｍｍ2以上、より好ましくは１．７７ｍｍ2以上であり、また、好ましくは７．０６ｍｍ2以下、より好ましくは３．１４ｍｍ2以下である。一端のみが開口した穴は、該穴が開口する面と該面と対向する対向面との間の距離の１／３以上の深さを有することが好ましく、１／２以上の深さを有することが好ましい。
【００１８】
また、起泡部材３は、チューブ容器２Ａ等の一つの容器２に一つのみ収容されていても良いが、図１に示すように、一つの容器２に複数の起泡部材３が収容されていることが、きめの細かい泡を一層効果的に生じさせる点から好ましい。
一つの容器内に収容する起泡部材３の数は、好ましくは３以上、より好ましくは５以上、更に好ましくは１０以上であり、また、好ましくは３００以下、更に好ましくは２００以下である。
起泡部材３を容器内に一つのみ収容する場合の起泡部材３としては、例えば、その容器の内面形状に沿う大きさ及び外形を有するもの等が挙げられる。
【００１９】
また、起泡部材３の形状としては、例えば、図３に示すように、直方体（立方体を含む）であることが好ましいが、それに制限されるものではなく、起泡部材３の形状は、任意の形状とすることができる。例えば、円柱状、円錐状、円錐台状、角柱状、角錐状、角錐台状、球状、半球状等とすることもできる。また、形状が異なる起泡部材３を組み合わせて用いることもできる。
【００２０】
起泡部材３の大きさは、吐出部２１を通って外部に漏れ出さない大きさであることが好ましい。また、個々の起泡部材３の大きさが、あまりに小さいと、泡の生成力が低下する。そのため、個々の起泡部材３の体積は、好ましくは０．７８５ｃｍ3以上、より好ましくは１ｃｍ3以上である。上限は特にないが、例えば、１２５ｃｍ3以下であることが好ましい。個々の起泡部材３の体積には、その起泡部材３を構成する多孔性材料の孔の内部の容積や前述した空洞部３２の内部の容積も含める。
【００２１】
起泡性を有する液体６は、起泡部材３と接触させた状態で、該起泡部材３とともに圧縮されることにより多数の泡を生じうるものである。起泡性を有する液体は、少なくとも１種類以上の界面活性剤を有していることが好ましい。
界面活性剤は、アニオン界面活性剤、カチオン界面活性剤、ノニオン界面活性剤の何れでも良い。また、界面活性剤は、起泡性を有する液体の用途に応じて、特に制限なく用いることができる。また、界面活性剤以外の成分についても、起泡性を有する液体の用途に応じて、その用途に従来用いられている各種の成分を特に制限なく配合することができる。泡立ち性の向上の観点等から、起泡性を有する液体中、界面活性剤の含有割合は、好ましくは１０質量％以上、より好ましくは１５質量％以上であり、また、好ましくは４０質量％以下、より好ましくは３０質量％以下であり、また、好ましくは１０〜４０質量％、より好ましくは１５〜３０質量％である。
【００２２】
起泡性を有する液体の用途としては、洗顔料、ハンドソープ、食器用洗剤、シャンプー、眼鏡拭き剤等が挙げられる。
液体の用途が洗浄剤である場合、少なくとも、該液体には、少なくとも以下の表１に示す洗浄基材が、例えば、表１に示す割合（質量％）で含まれていることが更に好ましい。
【００２３】
【表１】
2015008887.tif 000003
【００２４】
本実施形態の起泡具１Ａによれば、容器本体２０を片手で持つことができ、片手で持ちながら、押圧変形部２２である胴部２３をその手の指で押圧して、押圧変形部２２を変形させると共に内部の起泡部材３を圧縮させることができる。胴部２３の押圧は、２回以上繰り返すことが好ましく、３回以上繰り返すことが、泡質が均一になること等からより好ましい。
起泡部材３には起泡性を有する液体が含浸されており、液体が含浸した状態で起泡部材３を圧縮することにより、容器２の内部に、きめの細かい多数の泡が発生する。圧縮を複数回繰り返すことにより、一層確実に、きめの細かい多数の泡を発生させることができる。
そして、吐出部２１を解放した状態で、容器２の押圧変形部２２を再度押圧することにより、図４に示すように、容器の内部に発生した、きめの細かい泡４を、解放された吐出部２１から手の平５の上などに吐出させることができる。
【００２５】
本実施形態の起泡具１Ａによれば、このようにして、きめの細かい泡を容易に発生させることができる。しかも、泡を生じさせる際に、内部の液体や発生した泡が手に付くこともない。そのため、例えば、泡状の洗顔料を用いて洗顔する場合にも、手の平の最低限必要な範囲に洗顔料を乗せて洗顔することができ、洗顔後に手に付着した洗顔料を容易に水やお湯で洗い流すことができる。
また、道具である起泡具１Ａについても、使用後の処理は、開閉キャップ２９で吐出部２１を閉鎖するだけで良い。従って、道具に付着した洗顔料等を洗い流す必要もなく、洗顔後の道具の後片付け等の負担も軽減される。
また、吐出部２１の近傍に起泡部材３を存在させ、内部に発生した泡を、その起泡部材３内を通過させて外部に押し出すことによって泡のサイズを揃えることもできる。
【００２６】
また、本実施形態の起泡具１Ａによれば、チューブ容器２Ａの内部に起泡部材３が収容されており、起泡性を有する液体が、起泡部材３内に含浸されて保持されている。
そのため、容器２内に収容する液体が、従来、粘度が低くて、チューブ容器に適さない液状製品等である場合であっても、チューブ容器に収容しての市販等が可能となる。例えば、チューブ容器内に収容する液体は、比重が、１．１以下であっても良く、更には１．０以下であっても良い。但し、当該比重は０．９以上であることが好ましい。尚、チューブ容器は、従来、ペースト状のものの収容容器として使用されている。
【００２７】
容器２の内部に泡を発生させるためには、容器２の内部に空気も存在する必要がある。そのため、吐出部２１を閉鎖した状態で泡立て作業を行えるようにするためには、例えば、本実施形態の起泡具１Ａを、チューブ容器入り洗顔料等として市販する場合、消費者が吐出部を解放させる前の状態から、内部に空気が入っていることが好ましい。
また、吐出部２１を解放した状態で泡立て作業を行っても良く、例えば、解放された吐出部２１を上方に向けて押圧操作を行えば、容器内の液体や泡が意図せずに漏れることを防止しつつ容器内に泡を発生させることができる。このように使用することを想定すると、消費者が吐出部を解放させることによって、初めて内部に空気が取り込まれるようにしても良い。
【００２８】
本発明の起泡具においては、泡の吐出部が開放されていない未使用状態（例えば、店舗における棚等に商品として陳列されている状態）において、容器２内に空気等の気体が含まれていることが好ましい。
【００２９】
図５及び図６は、本発明の第２及び第３実施形態の起泡具を示す図である。
第２実施形態の起泡具１Ｂは、第２発明の一実施形態であり、第３実施形態の起泡具１Ｃは、第２及び第３発明の一実施形態である。
第２及び第３実施形態の起泡具１Ｂ，１Ｃにおける容器２は、開閉キャップ６９の脱着により開閉可能な泡の吐出部２１を備えたスタンディングパウチ２Ｂ，２Ｃである。
スタンディングパウチ２Ｂ，２Ｃは、合成樹脂製のシートの所定箇所をヒートシール等により接合して袋状に形成した袋本体６０と、袋本体６０の上部に固定された吐出部形成部材６２とからなり、袋本体６０の底部６０ｃを棚の上面等に接地させて自立させることが可能である。袋本体６０の上端部においては、袋本体６０の相対向する２面を形成する２枚の前後シート６１，６２間が、一部を除いて接合されており、それによって形成された流路形成シール部６３，６３間に挟まれた非シール部が、泡を泡の吐出口に導く袋本体側の流路６４となっている。吐出部形成部材６２は、袋本体６０の上端部に、前後シート６１，６２間に挟まれた状態で固定された本体部６７を備え、該本体部６７に、泡の流路となる貫通孔（図示せず）が形成されており、該貫通孔と袋本体側の流路６４とが、液の吐出部２１を形成している。また、開閉キャップ６９は、本体部６７に、螺合、嵌合等の任意の手段により脱着自在に取り付けられ、泡の吐出部２１を開閉する。
【００３０】
袋本体６０を構成するシートどうしの接合の態様は、従来の各種のスタンディングパウチと同様とすることができる。例えば、袋本体６０の底部６０ｃにおいては、前後シート６１，６２が直接接合されていてもよいし、前後シート６１，６２間に他のシートが介在して、該他のシートによりスタンディングパウチ２Ｂ，２Ｃの底部が形成されていてもよい。また、袋本体６０の両側部についても、同様であり、前後シート６１，６２が直接接合されていてもよいし、前後シート６１，６２間に他のシートが介在していてもよい。前後シート６１，６２間に介在させるシートは、前後シート６１，６２間に折り込まれた状態で介在していても良い。
また、図５及び図６に示す例においては、泡の吐出部２１は、スタンディングパウチ２Ｂ，２Ｃの上端部における幅方向（図の左右方向）の中央部に形成されているが、幅方向の端部等に形成されていても良い。
【００３１】
第２及び第３実施形態の起泡具１Ｂ，１Ｃにおけるスタンディングパウチ２Ｂ，２Ｃの内部にも、第１実施形態における容器２Ａと同様に、軟質多孔性材料からなり、起泡性を有する液体を含有した起泡部材３及び空気が収容されている。
そして、スタンディングパウチ２Ｂ，２Ｃの袋本体６０（押圧変形部）を手で押圧して、起泡部材３を押圧すること、好ましくは複数回繰り返して圧縮することにより、内部に、きめの細かい多数の泡を発生させることができ、その後、適宜のタイミングで吐出部２１を解放して、再度押圧することにより、きめの細かい泡を、解放された吐出部から吐出させることができる。
また、起泡部材３として、ポリウレタン発泡体からなる起泡部材のような弾力性のある起泡部材を用いることで、スタンディングパウチ２Ｂ，２Ｃは、押圧したときの復元性にも優れたものとなり、起泡操作が容易であるとともに、目の細かい弾力性のある泡を生じさせることも容易となる。
【００３２】
第２及び第３実施形態の起泡具１Ｂ，１Ｃは、スタンディングパウチ２Ｂ，２Ｃにおける泡の吐出部２１と底部６０ｃとの間に、泡の吐出部２１に起泡部材３が移動するのを阻止する手段として、中段間欠シール部７０を備えている。中段間欠シール部７０は、起泡部材３の移動は阻止するが、液体及び泡の移動は許容する。
中段シール部７０は、前後シート６１，６２間をヒートシール等により間欠的に接合して形成されており、スタンディングパウチ２Ｂの内部に、泡や液体は通過し得るが、起泡部材３が通過できない複数の流路７１を備えた仕切りを形成している。
容器２に、泡の吐出部２１に起泡部材３が移動するのを阻止する手段を設けることにより、起泡部材３が吐出部２１を通って漏れ出すことを効果的に防止でき、例えば、泡の吐出部２１を下方に向けて泡を吐出させることも容易となる。
【００３３】
また、第３実施形態におけるスタンディングパウチ２Ｃは、泡の吐出部２１と底部６０ｃとの間、より具体的には、前述した中段間欠シール部７０と底部６０ｃとの間に、スタンディングパウチ２Ｃの幅又は断面積が減少した括れ部７２を有する。スタンディングパウチ２Ｃの幅又は断面積は、スタンディングパウチ２Ｃを水平面上に自立させたときに該水平面と平行な方向の長さ又は水平面と平行な平面による断面積である。
スタンディングパウチ２Ｃに括れ部７２を形成することにより、手で把持しやすくなり、把持しながら起泡操作を行うことも容易となる。
【００３４】
また、第３実施形態の起泡具１Ｃは、泡の吐出部２１に、泡の目を細かくする泡調整部材７３を有している。泡調整部材７３は、好ましくは、メッシュ、スポンジ、多孔セラミックス又は焼結ＰＥからなる。泡調整部材７３を設けることにより、起泡部材により生じた泡を、より濃密な泡として外部に吐出させることができる。
【００３５】
また、第３実施形態の起泡具１Ｃにおいては、スタンディングパウチ２Ｃからなる容器２内に、起泡部材３として、軟質多孔性材料の目の細かさが異なる２種類の起泡部材３Ａ，３Ｂが収容されている。より具体的には、スタンディングパウチ２Ｃの底部６０ｃに近い側に、目の細かい起泡部材３Ｂが配置され、泡の吐出部２１に近い側に、起泡部材３Ｂに比して目の粗い起泡部材３Ａが配置されている。目の細かい起泡部材３Ｂにより濃密な泡を発生させることができる一方、目が相対的に粗い起泡部材３Ａにより泡の吐出性や容器２を押圧して圧縮させたときの復元性等を向上させることができる。
【００３６】
本発明においては、通常、起泡部材、起泡性を有する液体、空気が、容器内に存在するが、全ての起泡部材が、起泡性を有する液体に満たされている必要は無い。起泡部材内部を、空気が通過できるように、液体が充填されていないところを有することで、起泡性を高めることができる。
即ち、本発明の起泡具における容器２は、起泡性を有する液体に完全には浸漬しない起泡部材が存在することが好ましい。例えば、第１〜第３実施形態における容器２は、液体の吐出部２１を上方に向けて静置した状態において、起泡性を有する液体に浸漬された起泡部材と、該液体に完全には浸漬されない起泡部材とが生じていることが好ましい。液体に浸漬された起泡部材とは、液体中に全体が浸っているものであり、完全には浸漬されない起泡部材とは、液体から全体又は一部が露出しているものである。完全には浸漬されない起泡部材は、気体を含んでおり、起泡部材に含ませ得る最大量の液体を含んでいないものである。
液体に浸漬された起泡部材と完全には浸漬されない起泡部材とを含むことにより、液体と気体とが一層良好に混合して、目の細かい濃密な泡を生じさせることができる。
【００３７】
本発明では、容器を一回使いきりの容量とすることが好ましい。それにより、洗顔時の機能性を上げることが可能となる。適切な量の洗顔料を、容器内に入れておくことで、適切な起泡と洗顔効果を得ることができる。また、使用場所を選ばず、起泡を得ることができる。特に手がふさがっていた際に、片手操作で起泡、洗顔を行うことが可能となる。ここで、容器を一回使いきりの容量とは、例えばメイク落としの場合、洗顔を始めて終わるまでに一度で使うメイク落としの使用量を言い、使用法として能書に記載された内容を言う。
【００３８】
本発明は、上述した実施形態に制限されない。
例えば、本発明におけるチューブ容器２Ａは、胴部２３を構成する筒状のチューブ体と口首部形成部材２５ａが一体成形により形成されていても良い。また、チューブ容器は、容器本体２０の口首部２５に、螺合、嵌合、係合等により直接、口首部２５を開閉可能な開閉キャップが取り付けられていても良い。キャップ部材２６におけるキャップ基部２７と開閉キャップ２９とは、ヒンジ部２８を介して連結されておらず、完全に分離可能なものであっても良い。
【００３９】
また、本発明における容器は、図７に示すようにボトル容器２Ｄであっても良いし、図８に示すような、樹脂フィルムからなる簡易な袋２Ｅであっても良い。
図７に示すボトル容器２Ｄは、口首部、胴部及び底部を備えたボトル状の容器本体２０と、該容器本体の口首部に螺合により脱着自在に取り付けられて口首部上端の開口部を開閉するキャップ２６Ｄとからなる。
【００４０】
図７に示すボトル容器２Ｄ又は図８に示す袋２Ｅに、図３（ｂ）に示すような起泡部材３を収容したものは、第１発明の一実施形態であり、図７に示すボトル容器２Ｄ又は図８に示す袋２Ｅに、泡の吐出部に起泡部材が移動するのを阻止する手段、例えば、泡や液体は通過するが、起泡部材が通過できない程度の大きさの開口を有する仕切り壁や、第２又は第３実施形態と同様の中段間欠シール部を設けたものは、第２発明の一実施形態である。図７に示すボトル容器２Ｄ又は図８に示す袋２Ｅに、目の細かさが相互に異なる複数種類の起泡部材を収容したものは、第３発明の一実施形態である。
また、本発明における容器は、泡の吐出部をキャップ等で繰り返し開閉自在であることが好ましいが、図８に示す袋２Ｅのように、一度開封したら再度閉鎖する手段を持たないワンウェイタイプの容器であっても良い。図８に示す袋２Ｅは、２枚の樹脂フィルム、あるいは二つ折りした１枚の樹脂フィルムを、袋の周縁部において熱融着してなる。
【００４１】
また、起泡部材３は、図９（ａ）〜図９（ｃ）に示すように、各種の容器２に一つのみ収容されていてもよい。また、その場合の起泡部材３は、図９（ａ）〜図９（ｃ）に示すように、容器２の内面形状に沿う大きさ及び外形を有するものであっても良いし、容器２の内面形状に沿う大きさ及び外形を有しないものであっても良い。図９（ａ）〜図９（ｃ）に示す各容器２内の起泡部材３は、起泡性を有する液体（図示せず）を含有している。
【００４２】
図８及び図９（ｃ）に示す容器２Ｅは、破断予定線６１を備えた吐出部６を有しており、該吐出部２１は、容器の一部を破断予定線６１に沿って切断して除去することで、該容器の内外を連通する開口部（吐出口）を形成可能である。破断予定線６１としては、例えば、レーザー光線やカッター刃等により、容器を構成するシートに線状の溝を設けることができる。また、破断予定線６１として、ハサミ等を用いて切断すべきラインを印刷等により表示しても良い。
上述した一の実施形態における説明省略部分及び一の実施形態のみが有する要件（より好ましい構成等を含む）は、それぞれ他の実施形態に適宜適用することができ、また、各実施形態における要件（より好ましい構成等を含む）は、適宜、実施形態間で相互に置換可能である。例えば、第１実施形態で用いた空洞部３２を有する起泡部材３を他の実施形態で用いても良いし、第１実施形態におけるチューブ容器２Ａに、泡の吐出部に起泡部材が移動するのを阻止する手段、例えば、泡や液体は通過するが、起泡部材が通過できない程度の大きさの開口を有する仕切り壁を設け、該仕切り壁に対して泡の吐出部とは反対側に起泡部材を収容しても良い。その収容する起泡部材は、空洞部を有する起泡部材でも良いし、空洞部を有しない起泡部材であっても良い。また、第１実施形態におけるチューブ容器２Ａに、軟質多孔性材料の目の細かさが異なる複数種類の起泡部材を収容しても良いし、また、その場合、泡の吐出口から遠い側に目の細かい起泡部材を配し、泡の吐出口に近い側に目の粗い起泡部材を配しても良い。
【符号の説明】
【００４３】
１Ａ〜１Ｃ  起泡具
２  容器
２Ａ  チューブ容器
２Ｂ，２Ｃ  スタンディングパウチ
２Ｃ  ボトル容器
２０  容器本体
２１  吐出部
２２  胴部（押圧変形部）
６０  袋本体(押圧変形部）
２４  エンドシール部
２６  キャップ部材
２７  キャップ基部
２９  開閉キャップ
３  起泡部材
３１  多孔質部分
３２  空洞部
４  泡
５  手の平
６  起泡性を有する液体
７  中段間欠シール部（起泡部材が泡の吐出部に移動するのを阻止する手段）
【図１】
2015008887.tif 000004
【図２】
2015008887.tif 000005
【図３】
2015008887.tif 000006
【図４】
2015008887.tif 000007
【図５】
2015008887.tif 000008
【図６】
2015008887.tif 000009
【図７】
2015008887.tif 000010
【図８】
2015008887.tif 000011
【図９】
2015008887.tif 000012